(57)【要約】【課題】本発明は、ソースのチャンネル数がスピーカシステムのスピーカ数よりも多い場合であっても、対応スピーカが存在しないチャンネルの再生音量だけを調整できるようにする。【解決手段】マルチチャンネルのソースに対するチャンネル単位の再生結果をデコードし、センタースピーカが存在しないスピーカシステムＳＳ１のスピーカ数に合わせてチャンネル単位の再生結果をダウンミックスするオーディオデコーダ４に対して、ソースに対するチャンネル単位の再生結果を、スピーカシステムＳＰのスピーカ数に合わせてダウンミックスさせることなくデコードさせ、オーディオポストプロセッサ５に対して、ソースのうちスピーカシステムＳＰに存在しないセンタースピーカに対応したセンタースピーカ用チャンネル信号成分Ｃだけをゲイン調整させた後、ダウンミックスして出力させるようにする。【選択図】図３
2010212760.tif 000002
【特許請求の範囲】
【請求項１】
少なくとも左チャンネル、右チャンネル及びセンターチャンネルからなるマルチチャンネルのソースに対するチャンネル単位の再生結果をデコードし、上記センターチャンネルに対応したセンタースピーカが存在しないスピーカシステムのスピーカ数に合わせて上記チャンネル単位の再生結果をダウンミックスする復号手段と、
上記復号手段によるダウンミックス後の復号結果に対して所定の音響処理を施した後、上記スピーカシステムから出力する音響処理手段と、
上記音響処理手段を制御する制御手段と
を具え、
上記制御手段は、
上記復号手段に対して、上記再生手段による上記ソースに対するチャンネル単位の再生結果を、上記スピーカシステムのスピーカ数に合わせて上記ダウンミックスさせることなくデコードさせ、
上記音響処理手段に対して、上記ソースのうち上記スピーカシステムに存在しない上記センタースピーカに対応したセンターチャンネル信号成分だけをゲイン調整させた後、上記左チャンネルに対応した左チャンネル信号成分及び上記右チャンネルに対応した右チャンネル信号成分と混合することによりダウンミックスさせ、上記スピーカシステムから出力させる
音響機器。
【請求項２】
上記制御手段は、上記音響処理手段に対して、上記ゲイン調整後のセンターチャンネル信号成分と左チャンネル信号成分及び右チャンネル信号成分とを混合することに加えて、上記スピーカシステムに存在しない左サラウンドスピーカに対応した左サラウンドチャンネル信号成分と上記左チャンネル信号成分とを混合すると共に、上記スピーカシステムに存在しない右サラウンドスピーカに対応した右サラウンドチャンネル信号成分と上記右チャンネル信号成分とを混合することによりダウンミックスさせ、上記スピーカシステムから出力させる
請求項１に記載の音響機器。
【請求項３】
上記制御手段は、上記音響処理手段に対して、上記ゲイン調整後のセンターチャンネル信号成分と左チャンネル信号成分及び右チャンネル信号成分とを混合することに加えて、上記スピーカシステムに存在しない左サラウンドスピーカに対応した左サラウンドチャンネル信号成分をゲイン調整した後に更に混合すると共に、上記スピーカシステムに存在しない右サラウンドスピーカに対応した右サラウンドチャンネル信号成分をゲイン調整した後に更に混合することによりダウンミックスさせ、上記スピーカシステムから出力させる
請求項２に記載の音響機器。
【請求項４】
少なくとも左チャンネル、右チャンネル及びセンターチャンネルからなるマルチチャンネルのソースに対するチャンネル単位の再生結果をデコードし、上記センターチャンネルに対応したセンタースピーカが存在しないスピーカシステムのスピーカ数に合わせて上記チャンネル単位の再生結果をダウンミックスするようになされた復号手段に対して、制御手段が、上記ソースに対するチャンネル単位の再生結果を、上記スピーカシステムのスピーカ数に合わせて上記ダウンミックスさせることなくデコードさせる復号処理ステップと、
上記制御手段により、上記ソースのうち上記スピーカシステムに存在しない上記センタースピーカに対応したセンターチャンネル信号成分だけを音響処理手段を介してゲイン調整させた後、上記左チャンネルに対応した左チャンネル信号成分及び上記右チャンネルに対応した右チャンネル信号成分と混合することによりダウンミックスさせ、上記スピーカシステムから出力させるゲイン調整ダウンミックス処理ステップと
を有する音響処理方法。
【請求項５】
マルチチャンネルのソースに対するチャンネル単位の再生結果をデコードし、スピーカシステムのスピーカ数に合わせて上記チャンネル単位の再生結果をダウンミックスする復号手段と、
上記復号手段によるダウンミックス後の復号結果に対して所定の音響処理を施した後、上記スピーカシステムから出力する音響処理手段と、
上記音響処理手段を制御する制御手段と
を具え、
上記制御手段は、
上記復号手段に対して、上記再生手段による上記ソースに対するチャンネル単位の再生結果を、上記スピーカシステムのスピーカ数に合わせて上記ダウンミックスさせることなくデコードさせ、
上記音響処理手段に対して、上記ソースのうち上記スピーカシステムに存在しない上記スピーカに対応した特定チャンネルの信号成分だけをゲイン調整させた後、他のチャンネルの信号成分と混合することによりダウンミックスさせ、上記スピーカシステムから出力させる
音響機器。
【発明の詳細な説明】
【技術分野】
【０００１】
本発明は、音響機器及び音響処理方法に関し、例えば車載用のカーオーディオ装置によりマルチチャンネル（例えば５．１ｃｈ）のオーディオ信号を再生出力する場合に適用して好適なものである。
【背景技術】
【０００２】
従来、マルチチャンネル（例えば５．１ｃｈ）のオーディオコンテンツが含まれた映画等のＡＶ(Audio Visual)コンテンツを５．１ｃｈのスピーカシステムで再生する場合、その音響機器の状態や、周辺環境又は録音レベルの影響により特定のチャンネルからの音声が聴こえ難いことがある。
【０００３】
この場合、オーディオコンテンツのチャンネル数と、スピーカシステムのスピーカ数とが１対１で対応しているため、特定のチャンネルからの音声が聴こえ難い状況になったとき、その特定のチャンネルのスピーカボリュームを大きくすれば改善することができる。
【０００４】
但し、全てのユーザが５．１ｃｈの再生環境を有している訳ではなく、サラウンドスピーカやセンタースピーカを所持していないユーザが数多く存在する。この場合、音響機器では、例えばスピーカシステムにセンタースピーカが存在していないのであれば、そのセンタースピーカ用チャンネルの信号を他のスピーカの信号に割り振ってダウンミックスすることにより、そのオーディオコンテンツが保有する全ての信号を再生可能とするようになされている。
【０００５】
具体的には、図１に示すように、従来のカーオーディオ装置１では、５．１ｃｈ（左スピーカ用チャンネル信号成分Ｌ、右スピーカ用チャンネル信号成分Ｒ、センタースピーカ用チャンネル信号成分Ｃ、左サラウンドスピーカ用チャンネル信号成分Ｌｓ、右サラウンドスピーカ用チャンネル信号成分Ｒｓ及びサブウーファー用チャンネル信号成分ＬＦＥ）のオーディオコンテンツＤ１がソースとして収録されたディスク状記録媒体２を再生し、ＤＳＰ(Digital Signal Processor)３のオーディオデコーダ４へ送出する。
【０００６】
ところでカーオーディオ装置１では、車両に取り付けられるまでは、その車両のスピーカシステムＳＳ１が５．１ｃｈか、４．１ｃｈか、４ｃｈか、或は２ｃｈかを認識していないので、ユーザによる操作ボタン１３に対する押下操作に応じて当該スピーカシステムＳＳ１の構成を認識するようになされている。
【０００７】
すなわちカーオーディオ装置１では、その車両のスピーカシステムＳＳ１が例えば４．１ｃｈ（左スピーカ７、右スピーカ８、左サラウンドスピーカ９、右サラウンドスピーカ１０及びサブウーファー１１）であった場合、ユーザの操作ボタン１３に対する押下操作に応じてマイコン１２がその旨を認識する。
【０００８】
そうするとカーオーディオ装置１では、当該スピーカシステムＳＳ１が４．１ｃｈであることをマイコン１２からＤＳＰ(digital Signal Processor)３のオーディオデコーダ４へ制御信号Ｓ１により通知するようになされている。
【０００９】
これによりオーディオデコーダ４は、予め定められた方式に従って、ソースが５．１ｃｈのオーディオコンテンツＤ１を、スピーカシステムＳＳ１のスピーカ数に合わせた４．１ｃｈにダウンミックスするようになされている。
【００１０】
具体的にはオーディオデコーダ４は、左スピーカ用チャンネル信号成分Ｌとセンタースピーカ用チャンネル信号成分Ｃとを混合し、右スピーカ用チャンネル信号成分Ｒとセンタースピーカ用チャンネル信号成分Ｃとを混合することにより、５．１ｃｈのオーディオコンテンツＤ１を４．１ｃｈにダウンミックスする。
【００１１】
すなわちオーディオデコーダ４は、左スピーカ用チャンネル信号成分Ｌとセンタースピーカ用チャンネル信号成分Ｃとを混合した混合チャンネル信号成分Ｌ＋Ｃ、右スピーカ用チャンネル信号成分Ｒとセンタースピーカ用チャンネル信号成分Ｃとを混合した混合チャンネル信号成分Ｒ＋Ｃ、左サラウンドスピーカ用チャンネル信号成分Ｌｓ、右サラウンドスピーカ用チャンネル信号成分Ｒｓ及びサブウーファー用チャンネル信号成分ＬＦＥからなるオーディオデータＤ２をオーディオポストプロセッサ５へ送出する。
【００１２】
オーディオポストプロセッサ５は、オーディオデコーダ４から４．１ｃｈにダウンミックスされたオーディオデータＤ２（Ｌ＋Ｃ、Ｒ＋Ｃ、Ｌｓ、Ｒｓ、ＬＦＥ）に対してイコライザ調整処理やタイムアライメント調整処理等を施してパワーアンプ６へ供給する。
【００１３】
パワーアンプ６は、そのオーディオデータＤ２（Ｌ＋Ｃ、Ｒ＋Ｃ、Ｌｓ、Ｒｓ、ＬＦＥ）を所定レベルに増幅した後、左スピーカ７、右スピーカ８、左サラウンドスピーカ９、右サラウンドスピーカ１０及びサブウーファー１１から、４．１ｃｈの最終的な再生音声として出力するようになされている。
【００１４】
また、マルチトラックデータを２チャンネルや、５．１チャンネル等にダウンミックスして再生出力する情報機器についても提案されている（例えば特許文献１）。
【先行技術文献】
【特許文献】
【００１５】
【特許文献１】特開2005-70545公報
【発明の概要】
【発明が解決しようとする課題】
【００１６】
ところで、上述したカーオーディオ装置１においては、センタースピーカが存在しないチャンネルのセンタースピーカ用チャンネル信号成分Ｃを左スピーカ用チャンネル信号成分Ｌと右スピーカ用チャンネル信号成分Ｒとに割り振ってダウンミックスしているため、そのセンタースピーカ用チャンネル信号成分Ｃだけを増幅することが出来ない。
【００１７】
そのためカーオーディオ装置１では、ダウンミックス後の混合チャンネル信号成分Ｌ＋Ｃ、混合チャンネル信号成分Ｒ＋Ｃを増幅することしか出来ず、かくしてセンタースピーカ用チャンネル信号成分Ｃのボリュームだけを調整できないという問題があった。
【００１８】
本発明は以上の点を考慮してなされたもので、ソースのチャンネル数がスピーカシステムのスピーカ数よりも多い場合であっても、対応スピーカが存在しないチャンネルの再生音量だけを調整し得る音響機器及び音響処理方法を提案しようとするものである。
【課題を解決するための手段】
【００１９】
かかる課題を解決するため本発明においては、少なくとも左チャンネル、右チャンネル及びセンターチャンネルからなるマルチチャンネルのソースに対するチャンネル単位の再生結果をデコードし、センターチャンネルに対応したセンタースピーカが存在しないスピーカシステムのスピーカ数に合わせてチャンネル単位の再生結果をダウンミックスする復号手段と、復号手段によるダウンミックス後の復号結果に対して所定の音響処理を施した後、スピーカシステムから出力する音響処理手段と、音響処理手段を制御する制御手段とを具え、制御手段は、復号手段に対して、再生手段によるソースに対するチャンネル単位の再生結果を、スピーカシステムのスピーカ数に合わせてダウンミックスさせることなくデコードさせ、音響処理手段に対して、ソースのうちスピーカシステムに存在しないセンタースピーカに対応したセンターチャンネル信号成分だけをゲイン調整させた後、左チャンネルに対応した左チャンネル信号成分及び右チャンネルに対応した右チャンネル信号成分と混合することによりダウンミックスさせ、スピーカシステムから出力させるようにする。
【００２０】
また本発明においては、少なくとも左チャンネル、右チャンネル及びセンターチャンネルからなるマルチチャンネルのソースに対するチャンネル単位の再生結果をデコードし、センターチャンネルに対応したセンタースピーカが存在しないスピーカシステムのスピーカ数に合わせてチャンネル単位の再生結果をダウンミックスするようになされた復号手段に対して、制御手段が、ソースに対するチャンネル単位の再生結果を、スピーカシステムのスピーカ数に合わせてダウンミックスさせることなくデコードさせ、制御手段により、ソースのうちスピーカシステムに存在しないセンタースピーカに対応したセンターチャンネル信号成分だけを音響処理手段を介してゲイン調整させた後、左チャンネルに対応した左チャンネル信号成分及び右チャンネルに対応した右チャンネル信号成分と混合することによりダウンミックスさせ、スピーカシステムから出力させるようにする。
【００２１】
これにより、復号手段を介してセンターチャンネル信号成分をダウンミックスさせることなく、音響処理手段を介してセンターチャンネル信号成分だけを増幅した後に、左チャンネル信号成分及び右チャンネル信号成分と混合してダウンミックスすることができるので、マルチチャンネルのソースのチャンネル数よりもスピーカシステムのスピーカ数の方が少ない場合でも、その存在しないセンタースピーカに対応したセンターチャンネル信号成分だけをゲイン調整させて出力することができる。
【００２２】
さらに本発明においては、マルチチャンネルのソースに対するチャンネル単位の再生結果をデコードし、スピーカシステムのスピーカ数に合わせてチャンネル単位の再生結果をダウンミックスする復号手段と、復号手段によるダウンミックス後の復号結果に対して所定の音響処理を施した後、スピーカシステムから出力する音響処理手段と、音響処理手段を制御する制御手段とを具え、制御手段は、復号手段に対して、再生手段によるソースに対するチャンネル単位の再生結果を、スピーカシステムのスピーカ数に合わせてダウンミックスさせることなくデコードさせ、音響処理手段に対して、ソースのうちスピーカシステムに存在しないスピーカに対応した特定チャンネルの信号成分だけをゲイン調整させた後、他のチャンネルの信号成分と混合することによりダウンミックスさせ、スピーカシステムから出力させるようにする。
【００２３】
これにより、復号手段を介してスピーカシステムに存在しないスピーカに対応した特定チャンネルの信号成分をダウンミックスさせることなく、音響処理手段を介して特定チャンネルの信号成分だけを増幅した後に、他のチャンネルの信号成分と混合してダウンミックスすることができるので、マルチチャンネルのソースのチャンネル数よりもスピーカシステムのスピーカ数の方が少ない場合でも、その存在しないスピーカに対応した特定チャンネルの信号成分だけをゲイン調整させて出力することができる。
【発明の効果】
【００２４】
本発明によれば、復号手段を介してセンターチャンネルの信号成分をダウンミックスさせることなく、音響処理手段を介してセンターチャンネル信号成分だけを増幅した後に、左チャンネルの信号成分及び右チャンネルの信号成分と混合してダウンミックスすることができるので、マルチチャンネルのソースのチャンネル数よりもスピーカシステムのスピーカ数の方が少ない場合でも、その存在しないセンタースピーカに対応したセンタースピーカ用チャンネル信号成分だけをゲイン調整させて出力することができ、かくしてソースのチャンネル数がスピーカシステムのスピーカ数よりも多い場合であっても、対応スピーカが存在しないチャンネルの再生音量だけを調整し得る音響機器及び音響処理方法を実現することができる。
【００２５】
また本発明によれば、復号手段を介してスピーカシステムに存在しないスピーカに対応した特定チャンネルの信号成分をダウンミックスさせることなく、音響処理手段を介して特定チャンネルの信号成分だけを増幅した後に、他のチャンネルの信号成分と混合してダウンミックスすることができるので、マルチチャンネルのソースのチャンネル数よりもスピーカシステムのスピーカ数の方が少ない場合でも、その存在しないスピーカに対応した特定チャンネルの信号成分だけをゲイン調整させて出力することができ、かくしてソースのチャンネル数がスピーカシステムのスピーカ数よりも多い場合であっても、対応スピーカが存在しないチャンネルの再生音量だけを調整し得る音響機器を実現することができる。
【図面の簡単な説明】
【００２６】
【図１】従来のカーオーディオ装置の回路構成を示す略線的ブロック図である。
【図２】第１の実施の形態乃至第３の実施の形態におけるカーオーディオ装置の外観構成を示す略線的斜視図である。
【図３】第１の実施の形態におけるカーオーディオ装置の回路構成を示す略線的ブロック図である。
【図４】第１の実施の形態におけるセンタースピーカ成分調整処理手順を示すフローチャートである。
【図５】サウンド機能の遷移の説明に供する略線図である。
【図６】センタースピーカ成分のボリューム調整の説明に供する略線図である。
【図７】センタースピーカ成分調整モードからサウンド機能選択モードへ戻るときの説明に供する略線図である。
【図８】センタースピーカ成分の微調整処理の説明に供する略線図である。
【図９】第２の実施の形態におけるカーオーディオ装置の回路構成を示す略線的ブロック図である。
【図１０】第２の実施の形態におけるセンタースピーカ成分調整処理手順を示すフローチャートである。
【図１１】第３の実施の形態におけるカーオーディオ装置の回路構成を示す略線的ブロック図である。
【図１２】他の実施の形態におけるカーオーディオ装置の回路構成を示す略線的ブロック図である。
【発明を実施するための形態】
【００２７】
以下、発明を実施するための最良の形態（以下、実施の形態とする）について説明する。なお、説明は以下の順序で行う。
１．第１の実施の形態
２．第２の実施の形態
３．第３の実施の形態
４．他の実施の形態
【００２８】
＜１．第１の実施の形態＞
［１−１．カーオーディオ装置の外観構成］
図２において、２０は全体として本発明の第１の実施の形態におけるカーオーディオ装置を示し、矩形状の筐体２１が車両のダッシュボードに埋め込まれて取り付けられるようになされている。
【００２９】
このカーオーディオ装置２０では、筐体２１のフロントパネル２２に対して、電源ボタン２３、回転操作及び押下操作が可能なロータリーエンコーダ２４、各種表示を行うＬＣＤ(Liquid Crystal Display)２５及び操作ボタン群２６等が設けられている。
【００３０】
［１−２．カーオーディオ装置の回路構成］
図１との対応部分に同一符号を付した図３に示すようにカーオーディオ装置２０は、ＣＰＵ構成でなるマイクロコンピュータ（以下、これをマイコンと呼ぶ）２７が図示しないＲＯＭ(Read Only Memory)に格納された基本プログラムをＲＡＭ(Random Access Memory)上に読み出すことにより全体を統括制御する。
【００３１】
またカーオーディオ装置２０は、マイコン２７がＲＯＭから各種アプリケーションプログラムをＲＡＭ上に読み出し、当該各種アプリケーションプログラムに従って種々の処理を実行することにより、各種機能を実現するようになされている。
【００３２】
なお、このカーオーディオ装置２０では、ソースとして５．１ｃｈのオーディオコンテンツが収録された例えばＤＶＤ(Digital Versatile Disc)でなるディスク状記録媒体２を再生対象とする。その一方、当該カーオーディオ装置２０では、再生音声の出力対象となる車両には４．１ｃｈのスピーカシステムＳＳ１が搭載されている場合を前提とする。
【００３３】
すなわちソースのオーディオコンテンツが５．１ｃｈであるのに対し、当該オーディオコンテンツを再生出力するスピーカシステムＳＳ１としては、センタースピーカが存在しない左スピーカ７、右スピーカ８、左サラウンドスピーカ９、右サラウンドスピーカ１０及びサブウーファー１１の４．１ｃｈとなっている。
【００３４】
実際上、カーオーディオ装置２０のマイコン２７は、図示しないディスク再生部によりディスク状記録媒体２を再生し、ユーザのロータリーエンコーダ２４に対する回転操作及び押下操作に応じてセンタースピーカ成分調整モードへ入ると、以下の処理を行う。
【００３５】
カーオーディオ装置２０のマイコン２７は、本来、当該スピーカシステムＳＳ１が４．１ｃｈであることを示す制御信号Ｓ１（図１）をＤＳＰ３のオーディオデコーダ４に通知するところ、当該スピーカシステムＳＳ１があたかも５．１ｃｈであることを示す嘘の制御信号Ｓ３を敢えてＤＳＰ３のオーディオデコーダ４へ通知するようになされている。
【００３６】
これによりオーディオデコーダ４は、ディスク状記録媒体２が再生された結果得られる５．１ｃｈのオーディオコンテンツＤ１をデコードし、それらをダウンミックスすることなく、そのまま５．１ｃｈのデコードオーディオデータＤ３（左スピーカ用チャンネル信号成分Ｌ、右スピーカ用チャンネル信号成分Ｒ、センタースピーカ用チャンネル信号成分Ｃ、左サラウンドスピーカ用チャンネル信号成分Ｌｓ、右サラウンドスピーカ用チャンネル信号成分Ｒｓ及びサブウーファー用チャンネル信号成分ＬＦＥ）としてオーディオポストプロセッサ５へ送出する。
【００３７】
オーディオポストプロセッサ５は、車両のスピーカシステムＳＳ１にセンタースピーカが存在しないので、センタースピーカ用チャンネル信号成分Ｃだけを増幅回路Ｇ１により予め定められた増幅率α（例えば３ｄＢアップ）で増幅する。
【００３８】
ここでマイコン２７は、ユーザのロータリーエンコーダ２４を介して増幅率設定命令を受け付け、その増幅率設定命令に応じた制御信号Ｓ２をオーディオポストプロセッサ５へ出力することにより、増幅回路Ｇ１の増幅率αを予め設定するようになされている。
【００３９】
オーディオポストプロセッサ５は、増幅回路Ｇ１により増幅したセンタースピーカ用チャンネル信号成分αＣと、左スピーカ用チャンネル信号成分Ｌ、右スピーカ用チャンネル信号成分Ｒとを混合することにより、左スピーカ用チャンネル信号成分Ｌ＋αＣ、右スピーカ用チャンネル信号成分Ｒ＋αＣを生成する。
【００４０】
そしてオーディオポストプロセッサ５は、左スピーカ用チャンネル信号成分Ｌ＋αＣ、右スピーカ用チャンネル信号成分Ｒ＋αＣ、左サラウンドスピーカ用チャンネル信号成分Ｌｓ、右サラウンドスピーカ用チャンネル信号成分Ｒｓ及びサブウーファー用チャンネル信号成分ＬＦＥからなるオーディオデータＤ４をパワーアンプ６へ送出する。
【００４１】
因みにオーディオポストプロセッサ５は、左サラウンドスピーカ用チャンネル信号成分Ｌｓ、右サラウンドスピーカ用チャンネル信号成分Ｒｓ及びサブウーファー用チャンネル信号成分ＬＦＥについては、そのままの状態でパワーアンプ６へ送出する。
【００４２】
パワーアンプ６では、左スピーカ用チャンネル信号成分Ｌ＋αＣ、右スピーカ用チャンネル信号成分Ｒ＋αＣ、左サラウンドスピーカ用チャンネル信号成分Ｌｓ、右サラウンドスピーカ用チャンネル信号成分Ｒｓ及びサブウーファー用チャンネル信号成分ＬＦＥを所定レベルに増幅した後、スピーカシステムＳＳ１を介して再生音声として出力する。
【００４３】
［１−３．センタースピーカ成分調整処理手順］
続いて、カーオーディオ装置２０における上述したセンタースピーカ成分調整モードによるセンタースピーカ成分調整処理手順を、図４を用いて更に詳細に説明する。
【００４４】
カーオーディオ装置２０のマイコン２７は、ルーチンＲＴ１の開始ステップから入って次のステップＳＰ１へ移り、ＦＭラジオモード、イコライザ調整モード、スピーカポジション調整モード、及びセンタースピーカ成分調整モードのうち、センタースピーカ成分調整モードが選択されると、次のステップＳＰ２へ移る。
【００４５】
具体的にカーオーディオ装置２０のマイコン２７は、ロータリーエンコーダ２４がユーザによって押下操作される度に、図５（Ａ）に示すようなＬＣＤ２５に「ＦＭ１」と表示したＦＭラジオモードから、図５（Ｂ）に示すようなＬＣＤ２５に「ＥＱ(Equalizer)」と表示したイコライザ調整モード、図５（Ｃ）に示すようなＬＣＤ２５に「ＰＯＳ(Position)」と表示したスピーカポジション調整モード、図５（Ｄ）に示すようなＬＣＤ２５に「ＣＳＯ(Center Speaker Organizer)」と表示したセンタースピーカ成分調整モードを遷移するようになされている。
【００４６】
ステップＳＰ２においてカーオーディオ装置２０のマイコン２７は、ロータリーエンコーダ２４に対する押下操作により選択されたセンタースピーカ成分調整モードで、センタースピーカ用チャンネル信号成分Ｃだけを増幅するためのセンタースピーカ成分調整機能がオンされたか否かを判定する。
【００４７】
この場合、図６（Ａ）に示すようにカーオーディオ装置２０のマイコン２７は、ロータリーエンコーダ２４が最も左側に回転されたとき、「ＣＳＯ」と表示したセンタースピーカ成分調整機能を「ＯＦＦ」する。
【００４８】
また図６（Ｂ）乃至（Ｄ）に示すようにカーオーディオ装置２０のマイコン２７は、ロータリーエンコーダ２４が最も左側から右側に回転されたとき、「ＣＳＯ」と表示したセンタースピーカ成分調整機能をＯＮし、その回転操作量に応じてセンタースピーカ用チャンネル信号成分Ｃの増幅率α（ゲイン）を順次上げていく。
【００４９】
例えばマイコン２７は、ロータリーエンコーダ２４の回転操作量に応じて、オーディオポストプロセッサ５における増幅回路Ｇ１の増幅率α（ゲイン）を例えば３ｄＢアップの「ＣＳＯ１」に設定したり、６ｄＢアップの「ＣＳＯ２」に設定したり、１２ｄＢアップの「ＣＳＯ３」に設定するようになされている。
【００５０】
なお図７に示すようにカーオーディオ装置２０のマイコン２７は、その後、操作ボタン群２６のうちバックボタンＢＢが押下操作されると、ＦＭラジオモード、イコライザ調整モード、スピーカポジション調整モード、及びセンタースピーカ成分調整モードを選択するための機能選択状態（図５）へ戻るようになされている。
【００５１】
このステップＳＰ２で否定結果が得られると、このことは図６（Ａ）に示したようにロータリーエンコーダ２４が最も左側に回転された状態のまま、「ＣＳＯ」と表示したセンタースピーカ成分調整機能が「ＯＦＦ」状態のままであることを表しており、このときマイコン２７は次のステップＳＰ３へ移る。
【００５２】
ステップＳＰ３においてカーオーディオ装置２０のマイコン２７は、センタースピーカ成分調整機能が「ＯＦＦ」状態なので、車両のスピーカシステムＳＳ１が４．１ｃｈであることを示す制御信号Ｓ１（図１）をＤＳＰ３のオーディオデコーダ４へ通知し、次のステップＳＰ４へ移る。
【００５３】
ステップＳＰ４においてカーオーディオ装置２０のマイコン２７は、オーディオデコーダ４を介して、ソースが５．１ｃｈのオーディオコンテンツＤ１を、スピーカシステムＳＳ１のスピーカ数に合わせた４．１ｃｈにダウンミックスし、オーディオポストプロセッサ５、パワーアンプ６を介してスピーカシステムＳＳ１から再生出力し、次のステップＳＰ９へ移って処理を終了する。
【００５４】
この場合、カーオーディオ装置２０のマイコン２７は、センタースピーカ用チャンネル信号成分Ｃと、左スピーカ用チャンネル信号成分Ｌ、右スピーカ用チャンネル信号成分Ｒとを混合することにより、ダウンミックスした左スピーカ用チャンネル信号成分Ｌ＋Ｃ、右スピーカ用チャンネル信号成分Ｒ＋Ｃを出力するようになされている。
【００５５】
これに対してステップＳＰ２において肯定結果が得られると、センタースピーカ成分調整機能を「ＯＮ」したと共に、その回転操作量に応じた「ＣＳＯ１」、「ＣＳＯ２」又は「ＣＳＯ３」の増幅率α（ゲイン）にオーディオポストプロセッサ５の増幅回路Ｇ１を設定したことを表しており、このときマイコン２７は次のステップＳＰ５へ移る。
【００５６】
ステップＳＰ５においてカーオーディオ装置２０のマイコン２７は、スピーカシステムＳＳ１が４．１ｃｈであるにも拘わらず、ここでは５．１ｃｈであることを示す嘘の制御信号Ｓ３を敢えてオーディオデコーダ４へ通知し、次のステップＳＰ６へ移る。
【００５７】
ステップＳＰ６においてカーオーディオ装置２０のマイコン２７は、オーディオデコーダ４を介してダウンミックスすることなく、そのまま５．１ｃｈのデコードオーディオデータＤ３としてオーディオポストプロセッサ５へ送出する。
【００５８】
そしてカーオーディオ装置２０のマイコン２７は、オーディオポストプロセッサ５の増幅回路Ｇ１に対し、ロータリーエンコーダ２４の回転操作量に応じて予め設定した「ＣＳＯ１」の増幅率αに従い、センタースピーカ用チャンネル信号成分Ｃだけを増幅して左スピーカ用チャンネル信号成分Ｌ、右スピーカ用チャンネル信号成分Ｒと混合する。
【００５９】
これによりカーオーディオ装置２０のマイコン２７は、左スピーカ用チャンネル信号成分Ｌ＋αＣ、右スピーカ用チャンネル信号成分Ｒ＋αＣを生成してダウンミックス処理を行い、最終的に４．１ｃｈで再生出力し、次のステップＳＰ７へ移る。
【００６０】
ステップＳＰ７においてカーオーディオ装置２０のマイコン２７は、ダウンミックス処理後の再生状態で、更にロータリーエンコーダ２４に対する回転操作が行われたか否かを判定する。
【００６１】
ここで否定結果が得られると、このことはダウンミックス処理後の再生状態で、ロータリーエンコーダ２４に対する回転操作が行われることがなかったことを表しており、このときカーオーディオ装置２０のマイコン２７は次のステップＳＰ９へ移って処理を終了する。
【００６２】
これに対してステップＳＰ７で肯定結果が得られると、このことはロータリーエンコーダ２４に対する回転操作に応じてセンタースピーカ用チャンネル信号成分Ｃのボリュームを微調整する命令が与えられたことを表しており、このときマイコン２７は次のステップＳＰ８へ移る。
【００６３】
ステップＳＰ８においてカーオーディオ装置２０のマイコン２７は、ロータリーエンコーダ２４に対する微小な回転操作量に応じて、オーディオポストプロセッサ５の増幅回路Ｇ１に対して「ＣＳＯ１」の増幅率αを増減するように再設定し、次のステップＳＰ９へ移って処理を終了する。
【００６４】
実際上、カーオーディオ装置２０のマイコン２７（図３）は、ロータリーエンコーダ２４に対する回転操作量に応じた増幅率微調整命令を受け付け、その増幅率微調整命令に応じた制御信号Ｓ４をオーディオポストプロセッサ５へ出力することにより、増幅回路Ｇ１の増幅率αを僅かに増減するように再設定する。
【００６５】
この場合、カーオーディオ装置２０のマイコン２７は、図８に示すように、ロータリーエンコーダ２４に対する微小な回転操作量に応じたセンタースピーカ用チャンネル信号成分Ｃのボリューム変化分を、ＬＣＤ２５に表示した８段階の目盛を介してユーザに通知するようになされている。
【００６６】
［１−４．動作及び効果］
以上の構成において、カーオーディオ装置２０のマイコン２７は、ソースのオーディオコンテンツＤ１が５．１ｃｈで、当該オーディオコンテンツＤ１を再生出力するスピーカシステムＳＳ１がセンタースピーカの無い４．１ｃｈの場合、以下の処理を行う。
【００６７】
カーオーディオ装置２０のマイコン２７は、当該スピーカシステムＳＳ１が４．１ｃｈであるにも拘わらず、敢えてスピーカシステムＳＳ１が５．１ｃｈであることを示す嘘の制御信号Ｓ３をＤＳＰ３のオーディオデコーダ４へ通知する。
【００６８】
これによりＤＳＰ３のオーディオデコーダ４は、５．１ｃｈのオーディオコンテンツＤ１をダウンミックスすることなくデコードし、５．１ｃｈのデコードオーディオデータＤ３（左スピーカ用チャンネル信号成分Ｌ、右スピーカ用チャンネル信号成分Ｒ、センタースピーカ用チャンネル信号成分Ｃ、左サラウンドスピーカ用チャンネル信号成分Ｌｓ、右サラウンドスピーカ用チャンネル信号成分Ｒｓ及びサブウーファー用チャンネル信号成分ＬＦＥ）としてオーディオポストプロセッサ５へ送出する。
【００６９】
そしてオーディオポストプロセッサ５は、センタースピーカ用チャンネル信号成分Ｃだけを増幅回路Ｇ１により予め定められた増幅率αで増幅し、その結果得られるセンタースピーカ用チャンネル信号成分αＣを、左スピーカ用チャンネル信号成分Ｌ、右スピーカ用チャンネル信号成分Ｒと混合することによりダウンミックスする。
【００７０】
これによりカーオーディオ装置２０のマイコン２７は、スピーカシステムＳＳ１のスピーカ数に拘わらず、オーディオデコーダ４を介してソースに含まれるチャンネル数のままデコードし、その後、強調したいセンタースピーカ用チャンネル信号成分Ｃだけをオーディオポストプロセッサ５により増幅した後にダウンミックスすることができる。
【００７１】
その結果、カーオーディオ装置２０では、比較的、支配的な音が含まれている左スピーカ用チャンネル信号成分Ｌ、右スピーカ用チャンネル信号成分Ｒを増幅することなく、センタースピーカ用チャンネル信号成分Ｃだけを増幅することが出来るので、例えば台詞等を聴こえ易く再生出力することができる。
【００７２】
またカーオーディオ装置２０のマイコン２７は、図６（Ｂ）乃至（Ｄ）に示すようにロータリーエンコーダ２４の回転操作量に応じて、オーディオポストプロセッサ５における増幅回路Ｇ１の増幅率α（ゲイン）を例えば３ｄＢアップの「ＣＳＯ１」、６ｄＢアップの「ＣＳＯ２」、又は１２ｄＢアップの「ＣＳＯ３」に予め設定することができる。
【００７３】
更にマイコン２７は、予め設定した例えば「ＣＳＯ１」の増幅率αに従い、センタースピーカ用チャンネル信号成分Ｃだけを増幅してダウンミックスし、最終的な４．１ｃｈの再生出力中でも、図８に示したように、ロータリーエンコーダ２４に対する微小な回転操作量に応じて、オーディオポストプロセッサ５の増幅回路Ｇ１に対して増幅率αを微調整して再設定することができる。
【００７４】
これによりカーオーディオ装置２０のマイコン２７は、センタースピーカ用チャンネル信号成分Ｃの音声をユーザ所望の音量に微調整することができる。
【００７５】
以上の構成によれば、カーオーディオ装置２０は、ソースのオーディオコンテンツＤ１が５．１ｃｈで、当該オーディオコンテンツＤ１を再生出力するスピーカシステムＳＳ１がセンタースピーカの無い４．１ｃｈの場合でも、センタースピーカ用チャンネル信号成分Ｃの再生音声だけをユーザ所望の音量に調整して出力することができる。
【００７６】
＜２．第２の実施の形態＞
［２−１．カーオーディオ装置の外観構成］
図２において、３０は全体として本発明の第２の実施の形態におけるカーオーディオ装置を示し、第１の実施の形態におけるカーオーディオ装置２０と同じであるので、ここでは便宜上その説明を省略する。
【００７７】
［２−２．カーオーディオ装置の回路構成］
図３との対応部分に同一符号を付した図９に示すようにカーオーディオ装置３０は、ＣＰＵ構成でなるマイコン３７が図示しないＲＯＭに格納された基本プログラムをＲＡＭ上に読み出すことにより全体を統括制御する。
【００７８】
またカーオーディオ装置３０は、マイコン３７がＲＯＭから各種アプリケーションプログラムをＲＡＭ上に読み出し、当該各種アプリケーションプログラムに従って種々の処理を実行することにより、各種機能を実現するようになされている。
【００７９】
なお、このカーオーディオ装置３０では、ソースとして５．１ｃｈのオーディオコンテンツが収録された例えばＤＶＤでなるディスク状記録媒体２を再生対象とする。その一方、当該カーオーディオ装置２０では、再生音声の出力対象となる車両には２ｃｈのスピーカシステムＳＳ２が搭載されている場合を前提とする。
【００８０】
すなわちソースのオーディオコンテンツが５．１ｃｈであるのに対し、当該オーディオコンテンツを再生出力するスピーカシステムＳＳ２としては、センタースピーカだけでなく、左サラウンドスピーカ、右サラウンドスピーカ及びサブウーファーも存在しない左スピーカ７及び右スピーカ８の２ｃｈとなっている。
【００８１】
実際上、カーオーディオ装置３０のマイコン３７は、ユーザのロータリーエンコーダ２４に対する回転操作及び押下操作に応じてセンタースピーカ成分調整モードへ入ると、最初に以下の処理を行う。
【００８２】
カーオーディオ装置３０のマイコン３７は、本来、当該スピーカシステムＳＳ２が２ｃｈであることを示す制御信号をＤＳＰ３のオーディオデコーダ４に通知するところ、当該スピーカシステムＳＳ２があたかも５．１ｃｈであることを示す嘘の制御信号Ｓ３を敢えてＤＳＰ３のオーディオデコーダ４へ通知するようになされている。
【００８３】
これによりオーディオデコーダ４は、ディスク状記録媒体２が再生された結果得られる５．１ｃｈのオーディオコンテンツＤ１をデコードし、それらをダウンミックスすることなく、そのまま５．１ｃｈのデコードオーディオデータＤ３（左スピーカ用チャンネル信号成分Ｌ、右スピーカ用チャンネル信号成分Ｒ、センタースピーカ用チャンネル信号成分Ｃ、左サラウンドスピーカ用チャンネル信号成分Ｌｓ、右サラウンドスピーカ用チャンネル信号成分Ｒｓ及びサブウーファー用チャンネル信号成分ＬＦＥ）としてオーディオポストプロセッサ５へ送出する。
【００８４】
オーディオポストプロセッサ５は、車両のスピーカシステムＳＳ２にセンタースピーカが存在しないので、センタースピーカ用チャンネル信号成分Ｃを増幅回路Ｇ１により予め定められた増幅率α（例えば３ｄＢアップ）で増幅する。
【００８５】
ここでマイコン２７は、ユーザのロータリーエンコーダ２４を介して増幅率設定命令を受け付け、その増幅率設定命令に応じた制御信号Ｓ２をオーディオポストプロセッサ５へ出力することにより、増幅回路Ｇ１の増幅率αを予め設定するようになされている。
【００８６】
オーディオポストプロセッサ５は、増幅回路Ｇ１により増幅したセンタースピーカ用チャンネル信号成分αＣと、左スピーカ用チャンネル信号成分Ｌ、右スピーカ用チャンネル信号成分Ｒとを混合することにより、左スピーカ用チャンネル信号成分Ｌ＋αＣ、右スピーカ用チャンネル信号成分Ｒ＋αＣを生成する。
【００８７】
なおオーディオポストプロセッサ５は、車両のスピーカシステムＳＳ２にセンタースピーカだけでなく、左サラウンドスピーカ、右サラウンドスピーカ及びサブウーファーも存在しないので、左サラウンドスピーカ用チャンネル信号成分Ｌｓと左スピーカ用チャンネル信号成分Ｌ＋αＣとを混合すると共に、右サラウンドスピーカ用チャンネル信号成分Ｒｓと右スピーカ用チャンネル信号成分Ｒ＋αＣとを混合するようになされている。
【００８８】
この結果、オーディオポストプロセッサ５は、左スピーカ用チャンネル信号成分Ｌ＋αＣ＋Ｌｓ、右スピーカ用チャンネル信号成分Ｒ＋αＣ＋Ｒｓを生成するようになされている。
【００８９】
そしてオーディオポストプロセッサ５は、左スピーカ用チャンネル信号成分Ｌ＋αＣ＋Ｌｓ、右スピーカ用チャンネル信号成分Ｒ＋αＣ＋ＲｓからなるオーディオデータＤ５をパワーアンプ６へ送出する。
【００９０】
因みに、このときオーディオポストプロセッサ５は、スピーカシステムＳＳ２にサブウーファーが存在しないので、サブウーファー用チャンネル信号成分ＬＦＥについては出力しない。
【００９１】
パワーアンプ６では、左スピーカ用チャンネル信号成分Ｌ＋αＣ＋Ｌｓ、右スピーカ用チャンネル信号成分Ｒ＋αＣ＋Ｒｓを所定レベルに増幅した後、スピーカシステムＳＳ２の左スピーカ７及び右スピーカ８を介して最終的な２ｃｈの再生音声として出力する。
【００９２】
［２−３．センタースピーカ成分調整処理手順］
続いて、カーオーディオ装置３０における上述したセンタースピーカ成分調整モードによるセンタースピーカ成分調整処理手順を、図１０を用いて説明する。
【００９３】
カーオーディオ装置３０のマイコン３７は、ルーチンＲＴ２の開始ステップから入って次のステップＳＰ１１へ移り、図５（Ａ）〜（Ｄ）に示すようなＦＭラジオモード、イコライザ調整モード、スピーカポジション調整モード、及びセンタースピーカ成分調整モードのうち、センタースピーカ成分調整モードが選択されると、次のステップＳＰ１２へ移る。
【００９４】
ステップＳＰ１２においてカーオーディオ装置３０のマイコン３７は、ロータリーエンコーダ２４に対する押下操作により選択されたセンタースピーカ成分調整モードで、センタースピーカ用チャンネル信号成分Ｃだけを増幅するためのセンタースピーカ成分調整機能がオンされたか否かを判定する。
【００９５】
このステップＳＰ１２で否定結果が得られると、このことは図６（Ａ）に示したようにロータリーエンコーダ２４が最も左側に回転された状態のまま、「ＣＳＯ」と表示したセンタースピーカ成分調整機能が「ＯＦＦ」状態のままであることを表しており、このときマイコン３７は次のステップＳＰ１３へ移る。
【００９６】
ステップＳＰ１３においてカーオーディオ装置３０のマイコン３７は、センタースピーカ成分調整機能が「ＯＦＦ」状態なので、車両のスピーカシステムＳＳ２が２ｃｈであることを示す制御信号をＤＳＰ３のオーディオデコーダ４へ通知し、次のステップＳＰ１４へ移る。
【００９７】
ステップＳＰ１４においてカーオーディオ装置３０のマイコン３７は、オーディオデコーダ４を介して、ソースが５．１ｃｈのオーディオコンテンツＤ１を、スピーカシステムＳＳ２のスピーカ数に合わせた２ｃｈにダウンミックスし、オーディオポストプロセッサ５、パワーアンプ６を介してスピーカシステムＳＳ２から再生出力し、次のステップＳＰ１９へ移って処理を終了する。
【００９８】
この場合、オーディオデコーダ４は、センタースピーカ用チャンネル信号成分Ｃと、左スピーカ用チャンネル信号成分Ｌ及び左サラウンドスピーカ用チャンネル信号成分Ｌｓとを混合すると共に、センタースピーカ用チャンネル信号成分Ｃと、右スピーカ用チャンネル信号成分Ｒ及び右サラウンドスピーカ用チャンネル信号成分Ｒｓとを混合する。
【００９９】
これによりオーディオデコーダ４は、ダウンミックス後の左スピーカ用チャンネル信号成分Ｌ＋Ｃ＋ＬＳ、右スピーカ用チャンネル信号成分Ｒ＋Ｃ＋Ｒｓを生成してスピーカシステムＳＳ２の左スピーカ７及び右スピーカ８から出力するようになされている。
【０１００】
これに対してステップＳＰ１２において肯定結果が得られると、センタースピーカ成分調整機能を「ＯＮ」したと共に、その回転操作量に応じた「ＣＳＯ１」、「ＣＳＯ２」又は「ＣＳＯ３」の増幅率α（ゲイン）にオーディオポストプロセッサ５の増幅回路Ｇ１を設定したことを表しており、このときマイコン３７は次のステップＳＰ１５へ移る。
【０１０１】
ステップＳＰ１５においてカーオーディオ装置３０のマイコン３７は、スピーカシステムＳＳ２が２ｃｈであるにも拘わらず、ここでは５．１ｃｈであることを示す嘘の制御信号Ｓ３を敢えてオーディオデコーダ４へ通知し、次のステップＳＰ１６へ移る。
【０１０２】
ステップＳＰ１６においてカーオーディオ装置３０のマイコン３７は、オーディオデコーダ４を介してダウンミックスすることなく、そのまま５．１ｃｈのデコードオーディオデータＤ３としてオーディオポストプロセッサ５へ送出する。
【０１０３】
そしてカーオーディオ装置３０のマイコン３７は、オーディオポストプロセッサ５の増幅回路Ｇ１に対し、ロータリーエンコーダ２４の回転操作量に応じて予め設定した「ＣＳＯ１」の増幅率αに従い、センタースピーカ用チャンネル信号成分Ｃだけを増幅する。
【０１０４】
その後、カーオーディオ装置３０のマイコン３７は、増幅回路Ｇ１により増幅したセンタースピーカ用チャンネル信号成分αＣと、左スピーカ用チャンネル信号成分Ｌ及び左サラウンドスピーカ用チャンネル信号成分Ｌｓとを混合すると共に、センタースピーカ用チャンネル信号成分αＣと、右スピーカ用チャンネル信号成分Ｒ及び右サラウンドスピーカ用チャンネル信号成分Ｒｓと混合する。
【０１０５】
これによりカーオーディオ装置３０のマイコン３７は、左スピーカ用チャンネル信号成分Ｌ＋αＣ＋Ｌｓ、右スピーカ用チャンネル信号成分Ｒ＋αＣ＋Ｒｓを生成してダウンミックス処理を行い、最終的に２ｃｈで再生出力し、次のステップＳＰ１７へ移る。
【０１０６】
ステップＳＰ１７においてカーオーディオ装置３０のマイコン３７は、ダウンミックス処理後の再生状態で、更にロータリーエンコーダ２４に対する回転操作が行われたか否かを判定する。
【０１０７】
ここで否定結果が得られると、このことはダウンミックス処理後の再生状態で、ロータリーエンコーダ２４に対する回転操作が行われることがなかったことを表しており、このときカーオーディオ装置３０のマイコン３７は次のステップＳＰ１９へ移って処理を終了する。
【０１０８】
これに対してステップＳＰ１７で肯定結果が得られると、このことはロータリーエンコーダ２４に対する回転操作に応じてセンタースピーカ用チャンネル信号成分Ｃのボリュームを微調整する命令が与えられたことを表しており、このときマイコン３７は次のステップＳＰ１８へ移る。
【０１０９】
ステップＳＰ１８においてカーオーディオ装置３０のマイコン３７は、ロータリーエンコーダ２４に対する微小な回転操作量に応じて、オーディオポストプロセッサ５の増幅回路Ｇ１に対して「ＣＳＯ１」の増幅率αを増減するように再設定し、次のステップＳＰ１９へ移って処理を終了する。
【０１１０】
実際上、カーオーディオ装置３０のマイコン３７（図３）は、ロータリーエンコーダ２４に対する回転操作量に応じた増幅率微調整命令を受け付けると、その増幅率微調整命令に応じた制御信号Ｓ４をオーディオポストプロセッサ５へ出力することにより、増幅回路Ｇ１の増幅率αを僅かに増減するように再設定する。
【０１１１】
［２−４．動作及び効果］
以上の構成において、カーオーディオ装置３０のマイコン３７は、ソースのオーディオコンテンツＤ１が５．１ｃｈで、当該オーディオコンテンツＤ１を再生出力するスピーカシステムＳＳ２がセンタースピーカ、左サラウンドスピーカ、右サラウンドスピーカ及びサブウーファーの無い２ｃｈの場合、以下の処理を行う。
【０１１２】
カーオーディオ装置３０のマイコン３７は、当該スピーカシステムＳＳ２が２ｃｈであるにも拘わらず、敢えてスピーカシステムＳＳ２が５．１ｃｈであることを示す嘘の制御信号Ｓ３をＤＳＰ３のオーディオデコーダ４へ通知する。
【０１１３】
これによりＤＳＰ３のオーディオデコーダ４は、５．１ｃｈのオーディオコンテンツＤ１をダウンミックスすることなくデコードし、５．１ｃｈのデコードオーディオデータＤ３としてオーディオポストプロセッサ５へ送出する。
【０１１４】
そしてオーディオポストプロセッサ５は、センタースピーカ用チャンネル信号成分Ｃだけを増幅回路Ｇ１により予め定められた増幅率αで増幅し、その結果得られるセンタースピーカ用チャンネル信号成分αＣと、左スピーカ用チャンネル信号成分Ｌ及び左サラウンドスピーカ用チャンネル信号成分Ｌｓとを混合すると共に、右スピーカ用チャンネル信号成分Ｒ及び右サラウンドスピーカ用チャンネル信号成分Ｒｓと混合することによりダウンミックスする。
【０１１５】
これによりカーオーディオ装置３０のマイコン３７は、スピーカシステムＳＳ２のスピーカ数に拘わらず、オーディオデコーダ４を介してソースに含まれるチャンネル数のままデコードし、その後、強調したいセンタースピーカ用チャンネル信号成分Ｃだけをオーディオポストプロセッサ５により増幅した後にダウンミックスすることができる。
【０１１６】
その結果、カーオーディオ装置３０では、比較的、支配的な音が含まれている左スピーカ用チャンネル信号成分Ｌ、右スピーカ用チャンネル信号成分Ｒを増幅することなく、センタースピーカ用チャンネル信号成分Ｃだけを増幅することが出来るので、例えば台詞等を聴こえ易く再生出力することができる。
【０１１７】
なお、このときカーオーディオ装置３０では、左サラウンドスピーカ用チャンネル信号成分Ｌｓ及び右サラウンドスピーカ用チャンネル信号成分Ｒｓについてもダウンミックスすることにより、最終的な２ｃｈのスピーカシステムＳＳ２からソースの音源に近い再生音声を出力することができる。
【０１１８】
またカーオーディオ装置３０のマイコン３７は、図６（Ｂ）乃至（Ｄ）に示すようにロータリーエンコーダ２４の回転操作量に応じて、オーディオポストプロセッサ５における増幅回路Ｇ１の増幅率α（ゲイン）を例えば３ｄＢアップの「ＣＳＯ１」、６ｄＢアップの「ＣＳＯ２」、又は１２ｄＢアップの「ＣＳＯ３」に予め設定することができる。
【０１１９】
更にマイコン３７は、予め設定した例えば「ＣＳＯ１」の増幅率αに従い、センタースピーカ用チャンネル信号成分Ｃだけを増幅してダウンミックスし、最終的な２ｃｈの再生出力中でも、図８に示したように、ロータリーエンコーダ２４に対する微小な回転操作量に応じて、オーディオポストプロセッサ５の増幅回路Ｇ１に対して増幅率αを微調整して再設定することができる。
【０１２０】
これによりカーオーディオ装置３０のマイコン３７は、センタースピーカ用チャンネル信号成分Ｃの音声をユーザ所望の音量に微調整することができる。
【０１２１】
以上の構成によれば、カーオーディオ装置３０は、ソースのオーディオコンテンツＤ１が５．１ｃｈで、当該オーディオコンテンツＤ１を再生出力するスピーカシステムＳＳ２がセンタースピーカ、左サラウンドスピーカ、右サラウンドスピーカ及びサブウーファーの無い２ｃｈの場合でも、センタースピーカ用チャンネル信号成分Ｃの再生音声だけをユーザ所望の音量に調整して出力することができる。
【０１２２】
＜３．第３の実施の形態＞
［３−１．カーオーディオ装置の外観構成］
図２において、４０は全体として本発明の第３の実施の形態におけるカーオーディオ装置を示し、第１の実施の形態におけるカーオーディオ装置２０と同じであるので、ここでも便宜上その説明を省略する。
【０１２３】
［３−２．カーオーディオ装置の回路構成］
図３との対応部分に同一符号を付した図１１に示すようにカーオーディオ装置４０は、ＣＰＵ構成でなるマイコン４７が図示しないＲＯＭに格納された基本プログラムをＲＡＭ上に読み出すことにより全体を統括制御する。
【０１２４】
またカーオーディオ装置４０は、マイコン４７がＲＯＭから各種アプリケーションプログラムをＲＡＭ上に読み出し、当該各種アプリケーションプログラムに従って種々の処理を実行することにより、各種機能を実現するようになされている。
【０１２５】
なお、このカーオーディオ装置４０では、ソースとして５．１ｃｈのオーディオコンテンツが収録された例えばＤＶＤでなるディスク状記録媒体２を再生対象とする。その一方、当該カーオーディオ装置４０では、第２の実施の形態におけるカーオーディオ装置３０と同様に、再生音声の出力対象となる車両には２ｃｈのスピーカシステムＳＳ２が搭載されている場合を前提とする。
【０１２６】
すなわちソースのオーディオコンテンツが５．１ｃｈであるのに対し、当該オーディオコンテンツを再生出力するスピーカシステムＳＳ２としては、左スピーカ７及び右スピーカ８だけの２ｃｈとなっている。
【０１２７】
実際上、カーオーディオ装置４０のマイコン４７は、ユーザのロータリーエンコーダ２４に対する回転操作及び押下操作に応じてセンタースピーカ成分調整モードへ入ると、最初に以下の処理を行う。
【０１２８】
カーオーディオ装置４０のマイコン４７は、本来、当該スピーカシステムＳＳ２が２ｃｈであることを示す制御信号をＤＳＰ３のオーディオデコーダ４に通知するところ、当該スピーカシステムＳＳ２があたかも５．１ｃｈであることを示す嘘の制御信号Ｓ３を敢えてＤＳＰ３のオーディオデコーダ４へ通知するようになされている。
【０１２９】
これによりオーディオデコーダ４は、ディスク状記録媒体２が再生された結果得られる５．１ｃｈのオーディオコンテンツＤ１をデコードし、それらをダウンミックスすることなく、そのまま５．１ｃｈのデコードオーディオデータＤ３としてオーディオポストプロセッサ５へ送出する。
【０１３０】
オーディオポストプロセッサ５は、車両のスピーカシステムＳＳ２にセンタースピーカが存在しないので、センタースピーカ用チャンネル信号成分Ｃを増幅回路Ｇ１により予め定められた増幅率α（例えば３ｄＢアップ）で増幅する。
【０１３１】
またオーディオポストプロセッサ５は、車両のスピーカシステムＳＳ２に左サラウンドスピーカ及び右サラウンドスピーカが存在しないが、左サラウンドスピーカ用チャンネル信号成分Ｌｓ、右サラウンドスピーカ用チャンネル信号成分Ｒｓを増幅回路Ｇ２、Ｇ３により予め定められた増幅率α（例えば３ｄＢアップ）でそれぞれ増幅する。
【０１３２】
ここでマイコン４７は、ユーザのロータリーエンコーダ２４を介して増幅率設定命令を受け付け、その増幅率設定命令に応じた制御信号Ｓ２をオーディオポストプロセッサ５へ出力することにより、増幅回路Ｇ１の増幅率α及び増幅回路Ｇ２、Ｇ３の増幅率βを予め設定するようになされている。
【０１３３】
オーディオポストプロセッサ５は、増幅回路Ｇ１により増幅したセンタースピーカ用チャンネル信号成分αＣと、左スピーカ用チャンネル信号成分Ｌ、右スピーカ用チャンネル信号成分Ｒとを混合することにより、左スピーカ用チャンネル信号成分Ｌ＋αＣ、右スピーカ用チャンネル信号成分Ｒ＋αＣを生成する。
【０１３４】
またオーディオポストプロセッサ５は、増幅回路Ｇ２により増幅した左サラウンドスピーカ用チャンネル信号成分βＬｓと、左スピーカ用チャンネル信号成分Ｌ＋αＣとを混合することにより左スピーカ用チャンネル信号成分Ｌ＋αＣ＋βＬｓを生成する。
【０１３５】
同時にオーディオポストプロセッサ５は、増幅回路Ｇ３により増幅した右サラウンドスピーカ用チャンネル信号成分βＲｓと、右スピーカ用チャンネル信号成分Ｒ＋αＣとを混合することにより右スピーカ用チャンネル信号成分Ｒ＋αＣ＋βＲｓを生成する。
【０１３６】
そしてオーディオポストプロセッサ５は、左スピーカ用チャンネル信号成分Ｌ＋αＣ＋βＬｓ、右スピーカ用チャンネル信号成分Ｒ＋αＣ＋βＲｓからなるオーディオデータＤ６をパワーアンプ６へ送出する。
【０１３７】
因みに、このときオーディオポストプロセッサ５は、スピーカシステムＳＳ２にサブウーファーが存在しないので、サブウーファー用チャンネル信号成分ＬＦＥについては出力しない。
【０１３８】
パワーアンプ６では、左スピーカ用チャンネル信号成分Ｌ＋αＣ＋βＬｓ、右スピーカ用チャンネル信号成分Ｒ＋αＣ＋βＲｓを所定レベルに増幅した後、スピーカシステムＳＳ２の左スピーカ７及び右スピーカ８を介して最終的な２ｃｈの再生音声として出力する。
【０１３９】
［３−３．センタースピーカ成分調整処理手順］
カーオーディオ装置４０における上述したセンタースピーカ成分調整モードによるセンタースピーカ成分調整処理手順については、図１０に示したルーチンＲＴ２によるカーオーディオ装置３０のセンタースピーカ成分調整処理手順と基本的に同様であるので、便宜上その説明を省略する。
【０１４０】
［３−４．動作及び効果］
以上の構成において、カーオーディオ装置４０のマイコン４７は、当該スピーカシステムＳＳ２が２ｃｈであるにも拘わらず、敢えてスピーカシステムＳＳ２が５．１ｃｈであることを示す嘘の制御信号Ｓ３をＤＳＰ３のオーディオデコーダ４へ通知する。
【０１４１】
これによりＤＳＰ３のオーディオデコーダ４は、５．１ｃｈのオーディオコンテンツＤ１をダウンミックスすることなくデコードし、５．１ｃｈのデコードオーディオデータＤ３としてオーディオポストプロセッサ５へ送出する。
【０１４２】
そしてオーディオポストプロセッサ５は、センタースピーカ用チャンネル信号成分Ｃだけを増幅回路Ｇ１により予め定められた増幅率αで増幅すると共に、左サラウンドスピーカ用チャンネル信号成分Ｌｓ、右サラウンドスピーカ用チャンネル信号成分Ｒｓを増幅回路Ｇ２、Ｇ３により予め定められた増幅率βで増幅する。
【０１４３】
これによりオーディオポストプロセッサ５は、増幅回路Ｇ１により増幅したセンタースピーカ用チャンネル信号成分αＣと、増幅回路Ｇ２、Ｇ３により増幅した左サラウンドスピーカ用チャンネル信号成分βＬｓ、右サラウンドスピーカ用チャンネル信号成分βＲｓと、左スピーカ用チャンネル信号成分Ｌ及び左サラウンドスピーカ用チャンネル信号成分Ｌｓとを混合することによりダウンミックスする。
【０１４４】
これによりカーオーディオ装置１のマイコン４７は、スピーカシステムＳＳ２のスピーカ数に拘わらず、オーディオデコーダ４を介してソースに含まれるチャンネル数のままデコードし、その後、強調したいセンタースピーカ用チャンネル信号成分Ｃや左サラウンドスピーカ用チャンネル信号成分Ｌｓ、右サラウンドスピーカ用チャンネル信号成分Ｒｓだけをオーディオポストプロセッサ５により増幅した後にダウンミックスすることができる。
【０１４５】
その結果、カーオーディオ装置１では、比較的、支配的な音が含まれている左スピーカ用チャンネル信号成分Ｌ、右スピーカ用チャンネル信号成分Ｒを増幅することなく、センタースピーカ用チャンネル信号成分Ｃや、左サラウンドスピーカ用チャンネル信号成分Ｌｓ、右サラウンドスピーカ用チャンネル信号成分Ｒｓを増幅することが出来るので、例えば台詞のボリュームを上げて聴こえ易くすると共に、周囲音のボリュームを上げて臨場感を増大させることができる。
【０１４６】
またカーオーディオ装置１のマイコン４７は、図６（Ｂ）乃至（Ｄ）に示すようにロータリーエンコーダ２４の回転操作量に応じて、オーディオポストプロセッサ５における増幅回路Ｇ１の増幅率α（ゲイン）や増幅回路Ｇ２、Ｇ３の増幅率βを例えば３ｄＢアップの「ＣＳＯ１」、６ｄＢアップの「ＣＳＯ２」、又は１２ｄＢアップの「ＣＳＯ３」に予め設定することができる。
【０１４７】
更にマイコン４７は、予め設定した例えば「ＣＳＯ１」の増幅率α、βに従い、センタースピーカ用チャンネル信号成分Ｃや、左サラウンドスピーカ用チャンネル信号成分Ｌｓ、右サラウンドスピーカ用チャンネル信号成分Ｒｓを増幅してダウンミックスし、最終的な２ｃｈの再生出力中でも、図８に示したように、ロータリーエンコーダ２４に対する微小な回転操作量に応じて、オーディオポストプロセッサ５の増幅回路Ｇ１、Ｇ２、Ｇ３に対して増幅率α、βを微調整して再設定することができる。
【０１４８】
これによりカーオーディオ装置１のマイコン４７は、センタースピーカ用チャンネル信号成分Ｃや左サラウンドスピーカ用チャンネル信号成分Ｌｓ、右サラウンドスピーカ用チャンネル信号成分Ｒｓの音声をユーザ所望の音量に微調整することができる。
【０１４９】
以上の構成によれば、カーオーディオ装置１は、ソースのオーディオコンテンツＤ１が５．１ｃｈで、当該オーディオコンテンツＤ１を再生出力するスピーカシステムＳＳ２がセンタースピーカ、左サラウンドスピーカ、右サラウンドスピーカ及びサブウーファーの無い２ｃｈの場合でも、センタースピーカ用チャンネル信号成分Ｃや左サラウンドスピーカ用チャンネル信号成分Ｌｓ、右サラウンドスピーカ用チャンネル信号成分Ｒｓの再生音声だけをユーザ所望の音量に調整して出力することができる。
【０１５０】
＜４．他の実施の形態＞
なお上述した第１乃至第３の実施の形態においては、ロータリーエンコーダ２４の回転操作量に応じて増幅率α（ゲイン）を例えば３ｄＢアップの「ＣＳＯ１」に設定したり、６ｄＢアップの「ＣＳＯ２」に設定したり、１２ｄＢアップの「ＣＳＯ３」に設定するようにした場合について述べた。
【０１５１】
しかしながら、本発明はこれに限らず、必ずしも増幅するだけでなく、ロータリーエンコーダ２４の回転操作量に応じて例えば３ｄＢダウンしたり、６ｄＢダウンしたり、或は１２ｄＢダウンするように減衰しても良い。また、数値に関しても、これらに限定されるものではない。
【０１５２】
また上述した第１及び第２の実施の形態においては、ＤＳＰ３のオーディオデコーダ４及びオーディオポストプロセッサ５の増幅回路Ｇ１を用いてディジタル的な処理により、上述したセンタースピーカ成分調整処理を実行するようにした場合について述べた。
【０１５３】
しかしながら、本発明はこれに限らず、ＤＳＰ３のオーディオポストプロセッサ５を用いる代わりに、例えば図３との対応部分に同一符号を付した図１２に示すように、オーディオデコーダ４だけのＤＳＰ５１と、アナログ回路からなる増幅回路Ｇ１を有するアナログ回路部５２とによって構成されてカーオーディオ装置５０によりセンタースピーカ成分調整処理を実行するようにしても良い。この場合、増幅回路Ｇ１の増幅率αは固定的となるので、センタースピーカ用チャンネル信号成分Ｃの音量レベルを調整することはできない。
【０１５４】
さらに上述の第１乃至第３の実施の形態においては、センタースピーカが存在しないので、そのセンタースピーカ用チャンネル信号成分Ｃの音量レベルを調整するようにした場合について述べた。
【０１５５】
しかしながら本発明はこれに限らず、左サラウンドスピーカ、右サラウンドスピーカが存在しない場合に、その左サラウンドスピーカ用チャンネル信号成分Ｌｓ、右サラウンドスピーカ用チャンネル信号成分Ｒｓの音量レベルを調整するようにしても良い。
【０１５６】
要は、オーディオポストプロセッサ５により、存在していないスピーカに対応したスピーカ用チャンネル信号成分だけを増幅した後に、他のスピーカのチャンネル信号成分にダウンミックスすれば、ゲイン調整するチャンネルは問わない。
【０１５７】
さらに上述の第１乃至第３の実施の形態においては、復号手段としてのオーディオデコーダ４、音響処理手段としてのオーディオポストプロセッサ５及び制御手段としてのマイコン２７、３７、４７によって本発明の音響機器としてのカーオーディオ装置２０、３０、４０を構成するようにした場合について述べた。しかしながら本発明はこれに限らず、その他種々の構成でなる復号手段、音響処理手段及び制御手段によって本発明の音響機器を構成するようにしても良い。
【産業上の利用可能性】
【０１５８】
本発明の音響機器及び音響処理方法は、例えばカーオーディオ装置以外にも、ホームオーディオ装置、パーソナルコンピュータ、カーナビゲーションシステム等に適用することができる。
【符号の説明】
【０１５９】
１、２０、３０、４０、５０……カーオーディオ装置、２……ディスク状記録媒体、３、５１……ＤＳＰ、４……オーディオデコーダ、５……オーディオポストプロセッサ、６……パワーアンプ、７……左スピーカ、８……右スピーカ、９……左サラウンドスピーカ、１０……右サラウンドスピーカ、１１……サブウーファー、１２、２７、３７、４７……マイコン、１３……操作ボタン、２１……筐体、２２……フロントパネル、２３……電源ボタン、２４……ロータリーエンコーダ、２５……ＬＣＤ、２６……操作ボタン群、５２……アナログ回路部、Ｇ１〜Ｇ３……増幅回路、ＳＳ１、ＳＳ２……スピーカシステム。
【図１】
2010212760.tif 000003
【図２】
2010212760.tif 000004
【図３】
2010212760.tif 000005
【図４】
2010212760.tif 000006
【図５】
2010212760.tif 000007
【図６】
2010212760.tif 000008
【図７】
2010212760.tif 000009
【図８】
2010212760.tif 000010
【図９】
2010212760.tif 000011
【図１０】
2010212760.tif 000012
【図１１】
2010212760.tif 000013
【図１２】
2010212760.tif 000014